(57)【要約】【課題】  液体容器に装着されるノズルにおいて、該ノズルが一方向において自在に折曲可能であり、さらに折曲状態を保持することにより、片手で容易に注入作業を行うことができる液体容器用ノズルを提供すること。【解決手段】  本考案の液体容器用ノズル１は、蛇腹部３と、蛇腹部３の基端に形成された容器連結具４と、蛇腹部３の先端に形成された注入部５とからなるノズル本体２内に、前記蛇腹部３を折曲状態に保持する形状保持具１０を収容したことを特徴とする。  また前記形状保持具１０は、テーパー状に形成された本体部１１と、本体部１１の基端に形成された、容器連結具４内に収容される保持体１２とを備える。さらに前記保持体１２は、幅方向に伸縮自在に形成されている。【選択図】図１
0003186340.tif 000002
【実用新案登録請求の範囲】
【請求項１】
蛇腹部と、蛇腹部の基端に形成された容器連結具と、蛇腹部の先端に形成された注入部とからなるノズル本体内に、前記蛇腹部を折曲状態に保持する形状保持具を収容したことを特徴とする液体容器用ノズル。
【請求項２】
前記形状保持具は、長尺状の本体部と、本体部の基端に形成された、容器連結具内に収容される保持体とを備える請求項１記載の液体容器用ノズル。
【請求項３】
前記形状保持具の本体部は、先細のテーパー状に形成されている請求項２記載の液体容器用ノズル。
【請求項４】
前記保持体は、幅方向に伸縮自在に形成されている請求項２または３記載の液体容器用ノズル。
【考案の詳細な説明】
【技術分野】
【０００１】  本考案は、一方向において自在に折曲可能であり、さらに折曲状態を保持することにより、片手で容易に注入作業をすることができる液体容器用ノズルに関する。
【背景技術】
【０００２】  従来より、灯油等の液体を収容する容器においては、容器内の液体を効率よく他の容器へ注入するためのノズルが装着されている。一般的なノズルは、容器に着脱自在に装着されており、本体を折り曲げ自在とするために、中間部分が蛇腹状に形成されている。【０００３】  また一般的なノズルにおいては、本体部分が耐久性のあるポリエチレン樹脂にて形成されているため、蛇腹状の中間部分を折り曲げた状態で手を離すと、もとの直状に戻ってしまうという欠点があった。【０００４】  それらの問題を解決するために、ノズル本体をポリプロピレン樹脂に形成することで、蛇腹部分を折曲状態に保持することができるノズルも開発されている。しかしながら、ポリプロピレン樹脂は耐久性に乏しく劣化しやすいという問題がある。そのため繰り返しの使用により、また長期放置により、蛇腹部分にヒビが入ったり、穴が開いたりするという問題も生じた。【０００５】  また、上記ノズルに関する先行技術として、液体紙容器から液体を受け入れようとする液体用紙容器からの液体注入方法及び液体注入補助具がある（例えば特許文献１参照）。
上掲特許文献１の液体注入方法は、液体用紙容器の上部に配置した吐出口にノズルを接続し、前記ノズル先端の注入口を自由な位置に移動できるようにしたことを特徴とする。
また液体注入補助具は、液体用紙容器の上部に配置した吐出口に接続配置したジャバラ式ノズルにより構成されていることを特徴とする。
【先行技術文献】
【特許文献】
【０００６】
【特許文献１】特開平６−２１１２３７号公報
【考案の概要】
【考案が解決しようとする課題】  しかしながら、特許文献１の液体用紙容器からの液体注入方法及び液体注入補助具においては、液体用紙容器の上部に配置した吐出口に接続配置したジャバラ式ノズルにより構成されているため、注入口の方向を自由に移動することができるが、一方でノズルから手を離すと元の形状に戻ってしまうという欠点があった。そのため、容器内の液体を別の容器に移す場合、片手で液体容器を持ち上げ、他の手でノズルを保持していなければならず、利便性や作業性が悪いという問題が生じた。【０００７】  そこで本考案は上記の点に鑑み、液体容器に装着されるノズルにおいて、ノズルが一方向において自在に折曲可能であり、さらに折曲状態を保持することにより、片手で容易に注入作業を行うことができる液体容器用ノズルを提供することにある。
【解決を解決するための手段】
【０００８】  上記課題を解決するために本考案の液体容器用ノズルは、蛇腹部と、蛇腹部の基端に形成された容器連結具と、蛇腹部の先端に形成された注入部とからなるノズル本体内に、前記蛇腹部を折曲状態に保持する形状保持具を収容したことを特徴とする。
【０００９】  また前記形状保持具は、長尺状の本体部と、本体部の基端に形成された、容器連結具内に収容される保持体とを備える。
【００１０】  また前記形状保持具の本体部は、先細のテーパー状に形成されている。
【００１１】  さらに前記保持体は、幅方向に伸縮自在に形成されている。
【考案の効果】
【００１２】  本考案の本考案の液体容器用ノズルは、蛇腹部と、蛇腹部の基端に形成された容器連結具と、蛇腹部の先端に形成された注入部とからなるノズル本体内に、前記蛇腹部を折曲状態に保持する形状保持具を収容したことにより、蛇腹部が一方向において自在に折曲可能となり、さらに折曲状態を保持することができ、片手で容易に注入作業を行うことができる。
【００１３】  また前記形状保持具は、本体部がテーパー状に形成されているため、蛇腹部を滑らかに折曲させることができる。
【００１４】  さらに前記保持体は、幅方向に伸縮自在に形成されているため、さまざまな寸法のノズルにも好適に対応することができる。
【図面の簡単な説明】
【００１５】
【図１】本考案における液体容器用ノズルの断面図である。
【図２】前記液体容器用ノズルの他方向からの断面図である。
【図３】液体容器用ノズルを折曲した状態の断面図である。
【図４】（ａ），（ｂ）は保持体の詳細を示す。
【図５】本考案における液体容器用ノズルの使用状態である。
【考案を実施するための形態】
【００１６】  本考案の液体容器用ノズルは、ノズルが一方向において自在に折曲可能であり、さらに折曲状態を保持することにより、片手で容易に注入作業を行うことができることを特徴とするものである。
以下、本考案の液体容器用ノズルにおける実施の形態を図面に基づいて説明する。
【００１７】  図示する液体容器用ノズル１は、蛇腹部３と、蛇腹部３の基端に形成された容器連結具４と、蛇腹３の先端に形成された注入部５とからなるノズル本体２と、該ノズル本体２内に収容される、蛇腹部３を折曲状態に保持する形状保持具１０とを備えることを特徴とする。また前記ノズル本体２は、耐久性の優れ、繰り返しの曲げに強いポリエチレン樹脂にて形成されている。
【００１８】  ノズル本体２は、容器２０内に収容された液体、例えば灯油等を効率よく他の容器２２へ移行させるものである。前記ノズル本体２は、折曲自在な蛇腹部３と、蛇腹部３の基端に形成された容器連結具４と、蛇腹３の先端に形成された筒状の注入部５とからなる。また前記容器連結具４の底面には開口部６が穿孔されている。さらに前記容器連結具４は、取付具７を介して容器２０の開口部２１に着脱自在に連結されている。
【００１９】  また特に、前記ノズル本体２内には、前記ノズル本体２の蛇腹部３を折曲状態に保持する形状保持具１０が収容されている。形状保持具１０は、図１及び図２に示すように、長尺状の本体部１１と、本体部１１の基端に形成された、容器連結具４内に収容される保持体１２とを備える。
【００２０】  前記形状保持具１０は、折り曲げた際、その形状を保持することができる鉄、アルミ、真鍮、銅等の金属部材で形成されている。また形状保持具１０の本体部１１の形状は、先方が細くなるテーパー状に形成されている。そのため、折曲するとノズル本体２の蛇腹部３を滑らかに折曲させることができる。
【００２１】  また、前記形状保持具１０の大きさは特に限定されるものではないが、例えば、本体部１１の基部幅を１０ｍｍ、先方幅を５ｍｍ、厚みを１ｍｍ程度に形成することが望ましい。この形状とすることにより、ノズル本体２が一方向において自在に折曲可能となる。さらに折曲状態を確実に保持することができ、片手で容易に注入作業を行うことができる
【００２２】  また、前記形状保持具１０の基端には、ノズル本体２の容器連結具４内に配置される保持体１２が設置されている。保持体１２は矩形状の大径に形成されており、前記形状保持具１０をノズル本体２内に好適な状態で収容し配置させることができる。
【００２３】  前記ノズル本体２内に形状保持具１０を収容させることにより、図３に示すように、ノズル本体２を折り曲げると、蛇腹部３を滑らかに折曲させることができる。そのことにより、蛇腹部３が一方向において自在に折曲可能となり、さらに折曲状態を確実に保持することができる。
【００２４】  また他の好適例として、前記保持体１２を幅方向に伸縮自在に形成することが好ましい。図４に示すように、形状保持具１０の本体部１１の基部に開孔部１３を穿孔するとともに、長孔１５を穿孔した一対の保持板１４，１４´を前記開孔部１３に配置させる。この状態で、ボルト等の係止具１６により保持板１４，１４´を本体部１１の基部に螺着させる。
【００２５】  保持板１４，１４´を本体部１１の基部に螺着した後、係止具１６を緩め、保持板１４，１４´を長孔１５内で左右にスライドさせることにより、保持板１４，１４´の幅を任意に調節させることができる。そのため、如何なる大きさのノズルにも形状保持具１０を好適に収容させることができる。
【００２６】  次に、図５において、本考案の液体容器用ノズル１の使用状態を示す。
先ず、容器２０の開口部２１に取付具７を介して容器連結具４を装着させ、ノズル２を任意の状態に折り曲げる。そして注入部５を他の容器２２の開口部内に配置させる。
【００２７】  次に、容器２０を持ち上げて適宜量の液体を他の容器２２内に移行させる。この際、ノズル本体２の蛇腹部３は曲折状態が保持されているため、ノズル本体２を押さえておく必要がなく、片手の操作で容易に、且つ確実に液体の注入作業を行うことができる。
【符号の説明】
【００２８】１    液体容器用ノズル
２    ノズル本体
３    蛇腹部
４    容器連結具
５    注入部
６    開口部
７    取付具
１０  形状保持具
１１  本体部
１２  保持体
２０  容器
２１  開口部
２２  容器
【図１】
0003186340.tif 000003
【図２】
0003186340.tif 000004
【図３】
0003186340.tif 000005
【図４】
0003186340.tif 000006
【図５】
0003186340.tif 000007